(57)【要約】【課題】  ユーザー側で製品仕様を設定可能とした電気機器収納箱の仕様設定システムを提供する。【解決手段】  ユーザー側に設置された端末コンピュータ１と、端末コンピュータ１で作成された電気機器収納箱の仕様データを保存する管理サーバ２とを有し、端末コンピュータ１はアプリケーションソフトウェアがインストールされることで電気機器収納箱の仕様作成、及び仕様決定された電気機器収納箱の図面作成が可能となり、作成した図面のデータを管理サーバ２への送信を可能とし、アプリケーションソフトウェアは電気機器収納箱の複数の形状データ、複数の穴加工データ、組み付ける機器のデータ、更に作図用データを含むデータベース１１と、仕様設定手段１２と、仕様決定した電気機器収納箱の図面を作図するための製品図生成手段１３とを具備し、管理サーバ２に送信された図面データを使用して電気機器収納箱が作製される。【選択図】  図１
2018120432.tif 000002
【特許請求の範囲】
【請求項１】
所望する電気機器収納箱の仕様をユーザー自身が設定するためにユーザー側に設置された端末コンピュータと、
電気機器収納箱を作製するメーカーが管理して、前記端末コンピュータで作成された電気機器収納箱の図面データを保存する管理サーバとを有し、
前記端末コンピュータは、所定のアプリケーションソフトウェアがインストールされることで電気機器収納箱の仕様設定が可能となると共に、設定した電気機器収納箱の図面データを公衆通信網を介して前記管理サーバへの送信を可能とし、
前記アプリケーションソフトウェアは、電気機器収納箱の複数の形状データ、複数の穴加工データ、組み付ける機器のデータ、更に作図用データを含むデータベースと、仕様の設定操作をするための仕様設定手段と、仕様が決定した電気機器収納箱の図面を作図するための製品図生成手段とを具備し、
前記管理サーバに送信された前記図面データにより、電気機器収納箱の作製が可能となることを特徴とする電気機器収納箱の仕様設定システム。
【請求項２】
前記管理サーバには前記アプリケーションソフトウェアが格納されており、
前記端末コンピュータの所定の入手操作を受けて、前記管理サーバから公衆通信網を介して前記アプリケーションソフトウェアが提供されることを特徴とする請求項１記載の電気機器収納箱の仕様設定システム。
【発明の詳細な説明】
【技術分野】
【０００１】
本発明は、発注する電気機器収納箱の仕様をユーザー自身が設定する電気機器収納箱の仕様設定システムに関する。
【背景技術】
【０００２】
従来、配電盤、分電盤等の電気機器収納箱の仕様は、メーカー側の設計担当者がユーザーの注文に応じてコンピュータに入力し、要求に適合する寸法の箱をデータベースから選択し、選択した箱データに対して要求に応じた穴加工等の加工データや部品を加えて製品図面を作成した（例えば、特許文献１参照）。
【先行技術文献】
【特許文献】
【０００３】
【特許文献１】特開２０１１−１４１７８３号公報
【発明の概要】
【発明が解決しようとする課題】
【０００４】
上述したように、メーカー側の設計担当者がユーザーの注文に応じた仕様の図面を作成するため仕様が決定されるまで時間を要した。また、依頼の流れはユーザーから代理店、代理店からメーカー側の営業担当を経由して設計担当に依頼が流れることになるため、遅延に加えて指示ミスも発生し易かった。
【０００５】
そこで、本発明はこのような問題点に鑑み、ユーザー側で製品仕様を設定可能とすることで、ミスの発生を防止でき、更に納期を短縮できる電気機器収納箱の仕様設定システムを提供することを目的としている。
【課題を解決するための手段】
【０００６】
上記課題を解決する為に、請求項１の発明に係る電気機器収納箱の仕様設定システムは、所望する電気機器収納箱の仕様をユーザー自身が設定するためにユーザー側に設置された端末コンピュータと、電気機器収納箱を作製するメーカーが管理して、端末コンピュータで作成された電気機器収納箱の図面データを保存する管理サーバとを有し、端末コンピュータは、所定のアプリケーションソフトウェアがインストールされることで電気機器収納箱の仕様設定が可能となると共に、設定した電気機器収納箱の図面データを公衆通信網を介して管理サーバへの送信を可能とし、アプリケーションソフトウェアは、電気機器収納箱の複数の形状データ、複数の穴加工データ、組み付ける機器のデータ、更に作図用データを含むデータベースと、仕様の設定操作をするための仕様設定手段と、仕様が決定した電気機器収納箱の図面を作図するための製品図生成手段とを具備し、管理サーバに送信された図面データにより、電気機器収納箱の作製が可能となることを特徴とする。
この構成によれば、電気機器収納箱の形状や穴加工のデータ等の電気機器収納箱の仕様設定に必要なデータベースが具備されたアプリケーションソフトウェアを入手すれば、ユーザー自身が所望する電気機器収納箱の仕様を設定できる。よって、営業等が仲介することなく設定でき、人為的なミスを削減できるしユーザー自身が仕様を作成するため製品の短納期が可能となる。
【０００７】
請求項２の発明は、請求項１に記載の構成において、管理サーバにはアプリケーションソフトウェアが格納されており、端末コンピュータの所定の入手操作を受けて、管理サーバから公衆通信網を介してアプリケーションソフトウェアが提供されることを特徴とする。
この構成によれば、公衆通信網を介してアプリケーションソフトウェアを入手できるため、必要な時に入手できスムーズに電気機器収納箱の仕様を設定できる。
【発明の効果】
【０００８】
本発明によれば、電気機器収納箱の形状や穴加工のデータ等の電気機器収納箱の仕様設定に必要なデータベースが具備されたアプリケーションソフトウェアを入手すれば、ユーザー自身が所望する電気機器収納箱の仕様を設定できる。よって、営業等が仲介することなく設定でき、人為的なミスを削減できるしユーザー自身が仕様を作成するため製品の短納期が可能となる。
【図面の簡単な説明】
【０００９】
【図１】本発明に係る電気機器収納箱の仕様設定システムの一例を示し、仕様設定及び仕様設定から電気機器収納箱の製造までの流れを示す説明図である。
【発明を実施するための形態】
【００１０】
以下、本発明を具体化した実施の形態を、図面を参照して詳細に説明する。図１は本発明に係る電気機器収納箱の仕様設定システムの一例を示す説明図であり、仕様設定システム及び仕様設定から製造までの流れを示している。
１はユーザー側に設置されてユーザーが使用する例えばパーソナルコンピュータで構成される端末コンピュータ、２は電気機器収納箱（以下、単に「収納箱」と称する。）の製造メーカーに備えられて、ユーザーが設定した収納箱の図面データや、ユーザーが収納箱の仕様を設定する際に必要なアプリケーションソフトウェアが格納された管理サーバであり、端末コンピュータ１と管理サーバ２とで電気機器収納箱の仕様設定システムが構成されている。
尚、Ｐは収納箱製造におけるメーカー側の営業の流れ、Ｑは収納箱製造における工場の流れを示している。
【００１１】
端末コンピュータ１は、メーカーが提供するアプリケーションソフトウェアをインストールすることで収納箱の仕様設定が可能になる。アプリケーションソフトウェアは、例えば公衆通信網Ｎを介して管理サーバ２にアクセスすることで入手できるし、メーカーから提供されるＣＤ等の記憶媒体により入手しても良い。
【００１２】
このアプリケーションソフトウェアは、メーカーが用意しているソフトウェアであり、収納箱の種々の寸法や形状データを保存したデータベース１１、収納箱の所望する仕様に設定するための仕様設定手段１２、設定が完了した収納箱の図面（製品図）を生成するための製品図生成手段１３等のソフトウェアにより構成されている。
データベース１１は、図１に示すように収納箱の型番により分類された様々な大きさや形状のデータ、使用目的に対応した種類、加工可能な穴形状や加工位置のデータ、取り付け可能な機器のデータ等を有するマスターデータベース１１ａ、設定された穴加工のデータや取り付ける機器等の履歴データを保管する加工履歴データベース１１ｂ、作図する際に必要なデータを有する作図用データベース１１ｃ等で構成されている。
【００１３】
仕様設定手段１２は、インストールした収納箱のデータベース１１の中からユーザーの希望に適した寸法、形状の収納箱を選択して仕様決定するためのソフトウェアであり、端末コンピュータ１の図示しないキーボードやマウス等の操作手段により利用される。
また製品図生成手段１３は、メーカーに提出する図面を生成するためのソフトウェアであり、この製品図生成手段１３によりメーカーの営業等が工場に作製を手配するための図面が生成される。
尚、製品図生成手段１３には、図面作成部品データベース１３ａが設けられており、ユーザーが指定した部品図がこのデータに基づいて作図される。
【００１４】
管理サーバ２は、端末コンピュータ１から受け取った製品図の図面データを保管すると共に、ユーザーに対して提供する上述したアプリケーションソフトウェアを保管している。製品図の図面データは、ユーザーによる所定の操作で公衆通信網Ｎを介して管理サーバ２にメール送信される。
管理サーバ２に送られた製品図の図面データは、図１の流れＰに示すように担当する営業により把握されて見積の作成等が行われた後、工場へ図面データが送られて収納箱製造工程に入る。
【００１５】
この図面データを受け取った工場では、図面データに含まれる収納箱の寸法データ或いは品番データ等から収納箱の外形が作製される。そして、流れＱに示すように穴加工データを取り込みＣＡＤを介して加工機を制御することで穴加工が成される。その後、指定された機器や部品が取り付けられて収納箱が完成し、ユーザー仕様の収納箱が作製される。
【００１６】
このように、形状や穴加工のデータ等の電気機器収納箱の仕様設定に必要なデータベースが具備されたアプリケーションソフトウェアを入手すれば、ユーザー自身が所望する電気機器収納箱の仕様を設定できる。よって、営業等が仲介することなく設定でき、人為的なミスを削減できるしユーザー自身が仕様を作成するため製品の短納期が可能となる。
また、公衆通信網Ｎを介してアプリケーションソフトウェアを入手できるため、必要な時に入手できスムーズに電気機器収納箱の仕様を設定できる。
【００１７】
尚、管理サーバ２は公衆通信網Ｎ上に配置されていればどこに設置しても良いが、メンテナンスし易い例えばメーカーの社内等に設置すると良い。
また、端末コンピュータ１から受け取った製品図の図面データを保管する管理サーバ２に、ユーザーに対して提供するアプリケーションソフトウェアも保管しているが、アプリケーションソフトウェアを保管するサーバは別途設けても良い。
更に、端末コンピュータ１で作成された収納箱の図面は、そのデータがメーカー側にメール送信されて製品の製造に使用されるが、作成された図面データはＣＤ等の記憶媒体を介して営業に渡しても良い。
【符号の説明】
【００１８】
１・・端末コンピュータ、２・・管理サーバ、１１・・データベース、１１ａ・・マスターデータベース、１１ｂ・・加工履歴データベース、１１ｃ・・作図用データベース、１２・・仕様設定手段、１３・・製品図生成手段、Ｎ・・公衆通信網。
【図１】
2018120432.tif 000003